(57)【要約】【課題】色バランス変動を抑制したＬＥＤ光源を実現すること。【解決手段】輝度制御ＤＡコンバータ（１５）は、光源の輝度を制御するための輝度制御信号をＲＧＢのそれぞれに対応付けられた輝度制御ＤＡコンバータ（１９ＲＧＢ）に送出するコンバータである。電流範囲判定部（１６）は、光源の輝度に対応してＬＥＤに流す電流値がどの範囲にあるかを判定するための回路である。電流制御レジスタ部（１７ＲＧＢ）は、ＲＧＢのそれぞれに対応付けられて設けられた記憶手段であり、バックライト光の色バランスが予め設定された範囲となるようにＲＧＢそれぞれのＬＥＤに流す電流値を補正する情報が格納されており、その補正情報をＲＧＢそれぞれのＬＥＤに対応付けられて設けられた選択部（１８ＲＧＢ）へと送出するための回路である。各ＬＥＤに流す電流値は、予め設定した白色光の色バランスの範囲内となるように補正される。【選択図】図１
2008135220.tif 000002
【特許請求の範囲】
【請求項１】
複数のＬＥＤからの発光を加法混色して白色を得るＬＥＤ光源の制御方法であって、前記ＬＥＤ光源の発光輝度値から求まる前記複数のＬＥＤそれぞれの電流値を定める輝度制御信号に基づいて前記複数のＬＥＤを発光させた場合の加法混色光の色バランスが予め設定した範囲内となる様に前記輝度制御信号を補正するステップを備えていることを特徴とするＬＥＤ光源の制御方法。
【請求項２】
前記複数のＬＥＤは、赤色ＬＥＤ、緑色ＬＥＤ、および青色ＬＥＤである請求項１記載のＬＥＤ光源の制御方法。
【請求項３】
複数のＬＥＤからの発光を加法混色して白色を得るＬＥＤ光源または液晶表示装置用バックライトの制御方法であって、
画面の画像情報あるいは輝度制御情報に基づいて前記ＬＥＤ光源または前記バックライトの発光輝度値を決定する第１のステップと、
前記ＬＥＤ光源または前記バックライトの発光輝度値から求まる前記複数のＬＥＤそれぞれの電流値を定める輝度制御信号を生成する第２のステップと、
前記輝度制御信号に基づいて前記複数のＬＥＤを発光させた場合に加法混色光の色バランスが予め設定した色バランス範囲内となる様に前記輝度制御信号を補正する第３のステップと、
を備えていることを特徴とするＬＥＤ光源または液晶表示装置用バックライトの制御方法。
【請求項４】
前記複数のＬＥＤは、赤色ＬＥＤ、緑色ＬＥＤ、および青色ＬＥＤである請求項３記載のＬＥＤ光源または液晶表示装置用バックライトの制御方法。
【請求項５】
複数のＬＥＤからの発光を加法混色して白色を得るＬＥＤ光源またはバックライトと、
画像情報あるいは輝度制御情報に基づいて前記ＬＥＤ光源または前記バックライトの発光輝度値を決定し該発光輝度値から求まる前記複数のＬＥＤに流すための標準電流値を定める輝度制御信号を生成する画像処理制御部と、
前記標準電流値を定める前記輝度制御信号の値を複数の範囲に分類する電流範囲判定部と、
前記分類された判定電流範囲毎に前記ＬＥＤ光源またはバックライトの色バランスが予め設定された範囲となるように前記複数のＬＥＤそれぞれに流す電流値を記憶する電流制御部と、
前記電流範囲判定部の電流範囲分類結果に基づいて前記電流制御部に対して前記複数のＬＥＤ毎の電流値情報を選択する補正情報選択部と、
前記補正情報選択部から前記電流値情報が入力され該電流値情報に基づいて前記複数のＬＥＤそれぞれに流す電流を制御する輝度制御部と、
を備えていることを特徴とするＬＥＤ光源または液晶表示装置用バックライトの制御システム。
【請求項６】
前記複数のＬＥＤは、赤色ＬＥＤ、緑色ＬＥＤ、および青色ＬＥＤである請求項５記載のＬＥＤ光源または液晶表示装置用バックライトの制御システム。
【請求項７】
外部からのバックライト輝度調整用の外部インタフェースを有する請求項５または６に記載のＬＥＤ光源または液晶表示装置用バックライトの制御システム。
【請求項８】
請求項５乃至７の何れか１項に記載の制御システムを備えているＬＥＤ光源または液晶表示装置。
【発明の詳細な説明】
【技術分野】
【０００１】
本発明は、表示装置関連技術に関し、より詳細には、ＬＥＤ光源ならびに液晶表示パネル用バックライトの制御技術に関する。
【背景技術】
【０００２】
液晶ディスプレイは液晶自体が自己発光しないため、バックライトを用いて外部から照射光を照明することが必要であり、このバックライトとして、蛍光ランプ（冷陰極管）や発光ダイオード（ＬＥＤ）あるいはエレクトロルミネッセンス（ＥＬ）を光源として用いたものがあるが、従来は蛍光ランプを光源とするバックライトが主流であった。
【０００３】
しかし、蛍光ランプの点灯には、数十ｋＨｚの周波数の高電圧（７００Ｖ程度）をランプ両端に印加させることが必要であることから、微小浮遊容量を介して電流漏れが発生したり断線や短絡等が生じ易いという問題がある。また、蛍光ランプから得られる白色光は青みがかっており、高い色再現性を得るためには白色度の点で十分とはいえない。さらに、蛍光ランプには管内放電を容易にするために水銀が使用されているが、環境有害物質である水銀の使用は環境保護の観点から好ましくない。さらに、実使用時に於いても、冷陰極間は電源投入後十数分間は、輝度や演色性が悪く、液晶画面本来の色調や輝度が表示できないと言う問題点も有している。
【０００４】
これに対して、ＬＥＤをバックライト用光源として用いると、長寿命で衝撃にも強く断線等も生じ難いこと、色純度に優れていること、低電圧動作素子であるために取扱いや安全性に優れ小型軽量化が容易であること、電源投入後から本来の色調や輝度が表示でき且つその時間変化も少ないこと、電流値に対する発光量の直線性が良好で且つ応答速度が速いこと等の利点があり、ＬＥＤバックライトに関する研究開発が進められてきている。特に、青色ＬＥＤ実用化の後は、ＬＥＤのもつ優れた色再現性や低環境負荷という利点を生かして、実用化に向けた研究開発が加速してきており、ＬＥＤを用いた光源も実用化に向けた研究開発が行われている。
【０００５】
しかし、このようなＬＥＤバックライトを実用化する上で、例えば下記のような解決問題が認識されている。すなわち、(１)ＬＥＤ輝度の精密制御手法、(２)更なる輝度向上と消費電力の低減化、(３)ＬＥＤの輝度や発光スペクトラム変動の抑制（環境動作条件による特性変動の低減など）などである。
【０００６】
ＬＥＤをバックライトとして用いる場合の制御方法としては、定電流制御電流値可変方式や定電流動作パルス幅変調方式（例えば、特許文献１参照）が知られている。
【０００７】
このうち、定電流動作パルス幅変調方式は、バックライトとしてのＬＥＤに、基本周期に対して予め輝度に対応付けられた所定のパルス幅の電流をＬＥＤに流すことで輝度制御する方式である。パルス変調の基本周期の時間をＴ、ＬＥＤに電流を流している時間をｔ、電流を流している時のＬＥＤの輝度をＬとすると、電流の断続時のＬＥＤ応答時間が短くこの影響が無視できるほど小さければ、ＬＥＤの平均輝度Iavは、Ｉav＝Ｌ・ｔ／Ｔで与えられる。なお、通常は、ＬＥＤの応答は高速であるために、一般には、上式が成立する。
【０００８】
したがって、ＬＥＤに電流を流す時間を制御することで輝度を制御することができる。また、この方法では、ＬＥＤに流す電流値を一定とすることでＬＥＤの発光色が電流値により変動することを防止することも可能としている。もっとも、温度による色の変化は防ぎようがなく、カラーセンサ等を用いた補正が必要となる。また、このようにＬＥＤに流す電流を断続するいわゆるパルス変調の方法で輝度を制御する場合、周囲に大きな強度の妨害電波を撒き散らすために、その対策も別途必要となる。
【０００９】
定電流制御電流値可変方式とは、ＬＥＤに流す電流値を変化させる事でＬＥＤの輝度を変化させる方法である。ＬＥＤに流す電流値と輝度は非直線性は認められるがほぼ比例関係とみなせるので、電流値を変化することでＬＥＤの輝度を制御することができる。但し、この方法では、ＬＥＤに流す電流値が変化することによりＬＥＤの発光色（発光スペクトラム）が変化し、また温度によっても色の変化が生ずるので、例えばカラーセンサ等を用いて色の変動を補正する必要があった。
【００１０】
ところで、このような従来のＬＥＤバックライトの制御方式では、ＬＥＤの使用環境温度（素子温度）やＬＥＤに流す電流の大きさが変動することに起因して生じる輝度変化や発光スペクトル変化（色変化）という問題を解決することはできない。特に、ＬＥＤの発光スペクトル変化は、バックライトの色バランス変動を引き起こすこととなるため、美しい画像を表示させる際の大きな障害となってしまう。
【００１１】
また、上述のような従来方法では、発光スペクトル変化（色変化）に起因する色バランス変動（色ずれ）を補正するためには、カラーセンサ等を用意して変動量を計測、測定値に基き補正量を算出、各ＬＥＤの動作点（パルス幅、あるいは電流値）を変化させること、といった一連の動作を行う必要があるが、その為には、ハードウエアやソフトウエアの増加、あるいはセンサの安定動作や誤動作に対する防止機能等々の追加等が必要となり、開発期間の増大や装置の価格上昇という大きな問題が生じていた。
【特許文献１】特開２００１−２７２９３８号公報
【発明の開示】
【発明が解決しようとする課題】
【００１２】
本発明は、このような問題に鑑みてなされたもので、その目的とするところは、バックライト用ＬＥＤの発光スペクトル変化（色変化）に起因する色バランス変動（色ずれ）を抑制し、安定した色バランスの液晶表示装置やＬＥＤ光源を実現することにある。
【課題を解決するための手段】
【００１３】
このような課題を解決するために、請求項１に記載の発明は、複数のＬＥＤからの発光を加法混色して白色を得るＬＥＤ光源の制御方法であって、前記ＬＥＤ光源の発光輝度値から求まる前記複数のＬＥＤそれぞれの電流値を定める輝度制御信号に基づいて前記複数のＬＥＤを発光させた場合の加法混色光の色バランスが予め設定した範囲内となる様に前記輝度制御信号を補正するステップを備えていることを特徴とする。
【００１４】
請求項２に記載の発明は、請求項１記載のＬＥＤ光源の制御方法において、前記複数のＬＥＤは、赤色ＬＥＤ、緑色ＬＥＤ、および青色ＬＥＤである。
【００１５】
請求項３に記載の発明は、複数のＬＥＤからの発光を加法混色して白色を得るＬＥＤ光源または液晶表示装置用バックライトの制御方法であって、画面の画像情報あるいは輝度制御情報に基づいて前記ＬＥＤ光源または前記バックライトの発光輝度値を決定する第１のステップと、前記ＬＥＤ光源または前記バックライトの発光輝度値から求まる前記複数のＬＥＤそれぞれの電流値を定める輝度制御信号を生成する第２のステップと、前記輝度制御信号に基づいて前記複数のＬＥＤを発光させた場合に加法混色光の色バランスが予め設定した色バランス範囲内となる様に前記輝度制御信号を補正する第３のステップと、を備えていることを特徴とする。
【００１６】
請求項４に記載の発明は、請求項３記載のＬＥＤ光源あるいは液晶表示装置用バックライトの制御方法において、前記複数のＬＥＤは、赤色ＬＥＤ、緑色ＬＥＤ、および青色ＬＥＤである。
【００１７】
請求項５に記載の発明は、ＬＥＤ光源または液晶表示装置用バックライトの制御システムであって、複数のＬＥＤからの発光を加法混色して白色を得るＬＥＤ光源またはバックライトと、画像情報あるいは輝度制御情報に基づいて前記ＬＥＤ光源または前記バックライトの発光輝度値を決定し該発光輝度値から求まる前記複数のＬＥＤに流すための標準電流値を定める輝度制御信号を生成する画像処理制御部と、前記標準電流値を定める前記輝度制御信号の値を複数の範囲に分類する電流範囲判定部と、前記分類された判定電流範囲毎に前記ＬＥＤ光源またはバックライトの色バランスが予め設定された範囲となるように前記複数のＬＥＤそれぞれに流す電流値を記憶する電流制御部と、前記電流範囲判定部の電流範囲分類結果に基づいて前記電流制御部に対して前記複数のＬＥＤ毎の電流値情報を選択する補正情報選択部と、前記補正情報選択部から前記電流値情報が入力され該電流値情報に基づいて前記複数のＬＥＤそれぞれに流す電流を制御する輝度制御部と、を備えていることを特徴とする。
【００１８】
請求項６に記載の発明は、請求項５記載のＬＥＤ光源または液晶表示装置用バックライトの制御システムにおいて、前記複数のＬＥＤは、赤色ＬＥＤ、緑色ＬＥＤ、および青色ＬＥＤである。
【００１９】
請求項７に記載の発明は、請求項５または６に記載のＬＥＤ光源または液晶表示装置用バックライトの制御システムにおいて、外部からのバックライト輝度調整用の外部インタフェースを有する。
【００２０】
請求項８に記載の発明は、請求項５乃至７の何れか１項に記載の制御システムを備えているＬＥＤ光源または液晶表示装置である。
【発明の効果】
【００２１】
本発明によれば、加法混色により白色光を得るＬＥＤ光源（バックライト）を構成するそれぞれのＬＥＤに流す電流値を、白色光が予め設定した色バランスの範囲内となるように補正することとしたので、各ＬＥＤの動作電流値が変動等して「色ずれ」が生じたとしても、加法混色光の色バランスの変動を予め設定された範囲に収めることが可能となる。
【００２２】
これにより、従来技術の如く、カラーセンサ等に代表される様な特別な部品やソフトウエアを用いることなく、バックライト用ＬＥＤの発光スペクトル変化（色変化）に起因する色バランスの変動（色ずれ）を抑制することが可能である。
【００２３】
つまり、本発明では、既に生じた「色ずれ」を色センサなどを用いて事後的に「色補正」するのではなく、「色ずれ」の発生そのものを抑制することで色バランスを制御しているために、色バランスの高い安定性を図ることが可能となる。
【発明を実施するための最良の形態】
【００２４】
以下に、図面を参照して本発明の実施の態様について説明する。なお、以降の説明においては、バックライトとして用いるＬＥＤとして、赤（Ｒ）色ＬＥＤ、緑（Ｇ）色ＬＥＤ、青（Ｂ）色ＬＥＤの３色のＬＥＤを仮定し、これにより白色のバックライト光を得るものとするが、これらのＬＥＤの発光色は必ずしも、赤（Ｒ）、緑（Ｇ）、青（Ｂ）の３色に限定する必要はない。本発明に用いられるバックライト用ＬＥＤは、加法混色により白色を得ることが可能な組合せのものであればよく、そのような組合せが可能なものを、便宜上、赤（Ｒ）色系ＬＥＤ、緑（Ｇ）色系ＬＥＤ、および青（Ｂ）色系ＬＥＤと呼ぶこととする。
【００２５】
図１は本発明のバックライト制御システムを備えた液晶表示装置の構成例を説明するためのブロック図、図２は信号処理の流れを説明するためのフローチャートである。
【００２６】
符号化された１画面分の画像情報が入力されると、画像処理制御部（１１）で復号化処理されて画像データが生成され（Ｓ１０１）、この画像データに基づいて液晶表示パネル側の液晶駆動信号（ＲＧＢ信号）とバックライト側の輝度制御信号（バックライト信号）が生成される(Ｓ１０２)。ここで、液晶駆動信号（ＲＧＢ信号）とは液晶表示パネル側で各画素のＲＧＢそれぞれの液晶シャッタを制御するための信号であり、輝度制御信号（バックライト信号）とは表示すべき画像の明るさに応じて制御すべきバックライトの明るさ（白色光の輝度）を所定の値とするために必要なＲＧＢそれぞれのＬＥＤ光源の輝度を制御するための信号である。
【００２７】
液晶駆動信号（ＲＧＢ信号）と輝度制御信号（バックライト信号）は画像同期・データ送出制御部（１２）に送信され、この画像同期・データ送出制御部（１２）によりＲＧＢ信号とバックライト信号は液晶表示パネルに表示させる画像の表示タイミングに同期され（Ｓ１０３）、ＲＧＢ信号とバックライト信号がそれぞれ液晶表示パネル（１３）とバックライト輝度制御部（１４）に送信される（Ｓ１０４）。
【００２８】
なお、バックライト信号は、バックライト輝度制御部（１４）により、輝度制御ＤＡコンバータ（１５）、電流範囲判定部（１６）、に送信される。ここで、電流制御レジスタ部（１７Ｒ，１７Ｇ，１７Ｂ）には予め電流判定範囲毎に必要な情報を書き込まれている。
【００２９】
輝度制御ＤＡコンバータ（１５）は、バックライト輝度制御部（１４）から送信されたバックライト信号に基づいて、バックライト光の輝度（白色光の輝度）を所定の値とするために必要な赤、緑、および青の３色のＬＥＤ光源のそれぞれの輝度を制御するための輝度制御信号を、ＲＧＢのそれぞれに対応付けられた輝度制御ＤＡコンバータ（１９Ｒ、１９Ｇ、１９Ｂ）に送出する（Ｓ１０５）コンバータである。また、電流範囲判定部（１６）は、上述の輝度制御信号に基づいて定まるＲＧＢそれぞれのＬＥＤに流す電流値がどの範囲にあるかを判定する（Ｓ１０６）ための回路である。そして、電流制御レジスタ部（１７Ｒ，１７Ｇ，１７Ｂ）は、ＲＧＢのそれぞれに対応付けられて設けられた記憶手段であり、バックライト光の色バランスが予め設定された範囲となるようにＲＧＢそれぞれのＬＥＤに流す補正された電流値の情報が格納されており、指示に従いその補正情報をＲＧＢそれぞれのＬＥＤに対応付けられて設けられた選択部（１８Ｒ，１８Ｇ,１８Ｂ）へと出力する（Ｓ１０７）機能をもつ。
【００３０】
電流範囲判定部（１６）は、ＲＧＢそれぞれのＬＥＤに流すための基準とする標準電流値を複数の水準（電流値範囲）に分類するための情報（例えば、テーブル）を記憶しており、輝度制御信号に基づいて定まる各ＬＥＤに流すための基準とする電流値が何れの範囲にあるかを判定する（Ｓ１０６）。なお、ＲＧＢそれぞれのＬＥＤに流す電流に応じて各ＬＥＤの輝度が定まり、且つＲＧＢ各々のＬＥＤに流す電流は基準とする電流値に対してある比率（Ｒ：Ｇ：Ｂが約６：３：１）であるため、上記「電流値範囲」はＬＥＤ毎の「輝度範囲」と実質的には同じ事である。
【００３１】
図３は、電流範囲判定部（１６）に格納されている、ＬＥＤに流す為の基準とする電流値を複数の範囲に分類するための情報例を説明するための図である。
【００３２】
この図に例示したように、基準とする仮想のＬＥＤの輝度の最小乃至最大の範囲で１０％ずつの１０水準（レベル１乃至１０）に分類し、それぞれの「輝度範囲」に対応する「電流値範囲」に分類するテーブルが記憶されている。そして、基準とする仮想のＬＥＤに対応付けられた電流値が例えば輝度４６％に相当するものであれば、輝度範囲４１〜５０％に対応する電流値範囲に分類する判断（レベル５とする判断）が実行され、その結果が選択部（１８Ｒ，１８Ｇ,１８Ｂ）へと送出される（Ｓ１０８）。
【００３３】
電流制御レジスタ部（１７Ｒ，１７Ｇ，１７Ｂ）には、バックライト光の色バランスを予め設定した範囲内のものとするための情報（例えば、テーブル）が格納されている。ＬＥＤの発光スペクトルは、素子温度やＬＥＤに流れる電流の値に応じて変化して「色ずれ」を生じる。したがって、このようなＬＥＤ発光スペクトルの「色ずれ」を補正しないままにバックライト信号のみに基づいて各ＬＥＤの輝度制御を行うと、ＲＧＢ各々のＬＥＤに流す電流を所定のある比率としても上記「色ずれ」に起因して、バックライト光の色バランスが崩れる結果となる。このような色バランスの変化を予め設定した範囲内に抑えて本来の画像色を表示させるためには、画像処理制御部（１１）で生成されたバックライト信号（ＬＥＤ光源の輝度を制御するための信号）に補正を加え、ＬＥＤ光源の「色ずれ」がバックライト光の色バランスの大きな崩れとして顕在化しないようにすればよい。電流制御レジスタ部（１７Ｒ，１７Ｇ，１７Ｂ）に格納される情報とは、このような電流値補正情報である。
【００３４】
この電流値補正情報を利用すれば、バックライト輝度制御部（１４）から入力されたバックライト信号に基づいて定まる電流値をそのままＲＧＢ各々のＬＥＤに流す電流を所定の比率で流すとこれらのＬＥＤの少なくとも１つが「色ずれ」を生じ、この「色ずれ」がバックライト光の色バランスを大きく崩してしまう場合にでも、各ＬＥＤに流す電流を制御し、仮に「色ずれ」が生じていたとしても、バックライト光の色バランス変化が所定の範囲内に収まるように補正されることとなる。なお、このような「色ずれ」はＲＧＢの全てのＬＥＤにおいても生じ得るものであるから、電流制御レジスタ部（１７Ｒ，１７Ｇ，１７Ｂ）には、ＬＥＤに流すための基準とする電流値範囲毎で、各色毎に補正情報が設定されている。
【００３５】
図４は、このような電流値補正情報に基づいたＬＥＤ輝度制御の様子を概念的に説明するための図で、この図に示した例では、ＲＧＢそれぞれについてレベル１〜１０に分類された電流値範囲のマトリックスが形成されており、１０×１０×１０の交点（分類数）が得られる。例えば、原点（１１１）は、Ｒ＝１、Ｇ＝１、Ｂ＝１を意味し、最低輝度に分類される状態を意味する。なお、図中の点線で囲まれる範囲が、バックライト光の色バランス変化が所定の範囲内に収まる電流値範囲に該当する。
【００３６】
バックライト信号に基づいて定まるＬＥＤに流す為の基準とする電流値範が図中の「ａ」点で示される状態にある場合、「ａ」点は点線で囲まれる範囲外にあるため、この範囲の電流をＲＧＢのそれぞれのＬＥＤに所定の比率で流すとバックライト光の色バランス変化が所定の範囲を超えてしまうこととなる。したがって、赤色（Ｒ）ＬＥＤに流す電流値を８０％に、緑色（Ｇ）ＬＥＤに流す電流値を９０％に減少させ、青色（Ｂ）ＬＥＤに流す電流値は１００％のままとする等の補正を行って図中の「ｂ」点で示した電流値範囲とし、バックライト光の色バランス変化が所定の範囲内に収めるのである。
【００３７】
選択部（１８Ｒ，１８Ｇ,１８Ｂ）には、上述したように、ＬＥＤに流すための基準とする電流値範囲判定結果が電流範囲判定部（１６）から入力され、選択部（１８Ｒ，１８Ｇ,１８Ｂ）はこの判定結果に基づいて電流制御レジスタ部（１７Ｒ，１７Ｇ，１７Ｂ）に対して電流値補正情報の選択を指示し（Ｓ１０９）、電流制御レジスタ部（１７Ｒ，１７Ｇ，１７Ｂ）に格納されている電流値補正情報の中から各ＬＥＤ毎の電流値補正情報を選択して出力する。そして、この各ＲＧＢのＬＥＤ毎の電流値補正情報は、ＲＧＢのそれぞれに対応付けられた輝度制御ＤＡコンバータ（１９Ｒ、１９Ｇ、１９Ｂ）に送出される（Ｓ１１０）。
【００３８】
輝度制御ＤＡコンバータ（１９Ｒ、１９Ｇ、１９Ｂ）では、上述した各ＬＥＤ毎の電流値補正情報に基づいて輝度制御ＤＡコンバータ（１５）から送信された各ＬＥＤ毎の電流値が補正される。そして、補正後のＲＧＢ各色の輝度制御信号をアナログ変換しこれが電流制御回路部（２０）へと送られて（Ｓ１１０）、各ＬＥＤに流すべき電流値に変換され、各ＬＥＤ（２４Ｒ，２４Ｇ，２４Ｂ）は各々変換された電流値で発光する。つまり、輝度制御ＤＡコンバータ（１９Ｒ、１９Ｇ、１９Ｂ）は、輝度制御ＤＡコンバータ（１５）から送信されたＬＥＤに流すための基準とする電流値を基準電流値とし、選択部（１８Ｒ，１８Ｇ,１８Ｂ）から出力された電流値の補正内容に応じた電圧を出力し（Ｓ１１１）、その値に応じて電流制御回路部（２０）で定められた電流値で各ＬＥＤ（２４Ｒ、２４Ｇ、２４Ｂ）は光を発するのである。
【００３９】
また、電流値範囲の補正が不要な場合には、選択部（１８Ｒ，１８Ｇ,１８Ｂ）で輝度制御ＤＡコンバータ（１５）から送信された各ＬＥＤ毎の電流値そのものを各ＬＥＤの電流値とする様な設定値を出力し、補正を要すると指示している場合には、当該補正後の電流値範囲に対応する設定値（補正電圧）を出力するように設定すれば良い。なお、輝度制御ＤＡコンバータ（１５）には、外部インタフェース（２１）とマニュアル輝度制御ＤＡコンバータ（２２）を介して、マニュアルによる輝度調整信号が外部から入力可能となっている。
【００４０】
このような電流制御を行うこととすると、ＲＧＢの各ＬＥＤは、各動作電流範囲毎に色バランスが所定の範囲となるように発光することとなるから、従来の構成であれば動作電流値が変動して「色ずれ」が生じた場合でも、バックライト光の色バランスの変動は予め設定された範囲に収めることが可能となる。
【００４１】
上述したような色バランスの変動抑制に加え、素子温度変動起因の色バランス変動抑制には、定電流出力回路の帰還回路にサーミスタや感熱抵抗を付加する手法が有効である。
【００４２】
図５は、素子温度変動起因の色バランス変動抑制のための、ＤＡコンバータ（１８Ｒ，１８Ｇ，１８Ｂ）の出力端側の回路構成例を示す図である。図５（Ａ）および図５（Ｂ）に例示するように、ＤＡコンバータの帰還回路にサーミスタや感熱抵抗（２５Ａ、２５Ｂ）を付加している。なお、サーミスタや感熱抵抗（２５Ａ、２５Ｂ）の特性を吟味し、これらの素子を搭載する場所を適切に選択することで、その温度特性や係数を任意の値とすることが可能である。
【００４３】
以上、実施例により本発明について説明したが、上記実施例は本発明を実施するための例にすぎず、本発明はこれらに限定されるものではない。上述の実施例を種々変形することは本発明の範囲内にあり、更に本発明の範囲内において他の様々な実施例が可能である。例えば、バックライトとして用いるＬＥＤは、赤（Ｒ）色ＬＥＤ、緑（Ｇ）色ＬＥＤ、および青（Ｂ）色ＬＥＤの３色のＬＥＤである必要は必ずしもなく、混色により白色のＬＥＤを得ることが可能な組合せのＬＥＤ（赤（Ｒ）色系ＬＥＤ、緑（Ｇ）色系ＬＥＤ、および青（Ｂ）色系ＬＥＤ）であればよく、さらには、白色ＬＥＤと混色により白色のＬＥＤを得ることが可能な組合せのＬＥＤ、あるいは白色ＬＥＤとこれらの何れかのＬＥＤとの組合せとすることとしてもよい。
【産業上の利用可能性】
【００４４】
本発明により、バックライト用ＬＥＤの発光スペクトル変化（色変化）に起因する色バランス変動（色ずれ）を抑制し、安定した色バランスの液晶表示装置を実現することが可能となる。
【図面の簡単な説明】
【００４５】
【図１】本発明のバックライト制御システムを備えた液晶表示装置の構成例を説明するためのブロック図である。
【図２】信号処理の流れを説明するためのフローチャートである。
【図３】電流範囲判定部に格納されている、電流値を複数の電流値範囲に分類するための情報例を説明するための図である。
【図４】電流値補正情報に基づいたＬＥＤ輝度制御の様子を概念的に説明するための図である。
【図５】素子温度変動起因の色バランス変動抑制のためのＤＡコンバータの出力端側の回路構成例を示す図である。
【符号の説明】
【００４６】
１１  画像処理制御部
１２  画像同期・データ送出制御部
１３  液晶表示パネル
１４  バックライト輝度制御部
１５  輝度制御ＤＡコンバータ
１６  電流範囲判定部
１７  電流制御レジスタ部
１８  選択部
１９輝度制御ＤＡコンバータ
【図１】
2008135220.tif 000003
【図２】
2008135220.tif 000004
【図３】
2008135220.tif 000005
【図４】
2008135220.tif 000006
【図５】
2008135220.tif 000007